(57)【要約】  【課題】  クライアントに適切な紹介コンテンツを配信することができる配信装置、配信方法、配信プログラムを提供する。  【解決手段】  目的コンテンツの実行をユーザに促すための紹介コンテンツをクライアントへ配信するコンテンツ配信サーバ１であって、クライアントの状況と目的コンテンツの状況を取得する状況取得部と、クライアントの状況と目的コンテンツの状況に基づいて、クライアントにおける目的コンテンツの適性度を計算するコンテンツ適性度計算部２１と、適性度に基づいて、紹介コンテンツの順序を決定するコンテンツ順序決定部２２と、紹介コンテンツの順序に従って、紹介コンテンツをクライアントへ配信するコンテンツ配信部２３とを備えた。  【選択図】  図１
2006215678.tif 000002
【特許請求の範囲】
【請求項１】
第１のデータの利用をユーザに促すための第２のデータを装置へ配信する配信装置であって、
装置の状況と前記第１のデータの状況を取得する状況取得部と、
前記状況取得部により取得された装置の状況と前記第１のデータの状況に基づいて、装置における前記第１のデータの適性度を計算する適性度計算部と、
前記データ適正度計算部により計算された前記適性度に基づいて、前記第２のデータの順序を決定する順序決定部と、
前記順序決定部により決定された前記第２のデータの順序に従って、前記第２のデータを装置へ配信する配信部と、
を備えてなる配信装置。
【請求項２】
請求項１に記載の配信装置において、
前記適正度計算部は、前記装置の状況と前記第１のデータの状況についての所定の採点設定を有し、該所定の採点設定に基づいて、前記第１のデータの適性度を算出する配信装置。
【請求項３】
請求項１または請求項２に記載の配信装置において、
前記順序決定部は、前記適性度を用いたドント式により前記第２のデータの順序を決定することを特徴とする配信装置。
【請求項４】
請求項１乃至請求項３のいずれかに記載の配信装置において、
前記装置の状況は、前記装置の立地条件、天気、日時の情報を含むことを特徴とする配信装置。
【請求項５】
請求項１乃至請求項４のいずれかに記載の配信装置において、
前記第１のデータの状況は、前記第１のデータのターゲットユーザ、前記第１のデータの推薦、前記第１のデータの実行状況の情報を含むことを特徴とする配信装置。
【請求項６】
第１のデータの利用をユーザに促すための第２のデータを装置へ配信する配信方法であって、
前記装置の状況と前記第１のデータの状況を取得する状況取得ステップと、
前記状況取得ステップにより取得された装置の状況と前記第１のデータの状況に基づいて、装置における前記第１のデータの適性度を計算する適性度計算ステップと、
前記適正度計算ステップにより計算された前記適性度に基づいて、前記第２のデータの順序を決定する順序決定ステップと、
前記順序決定ステップにより決定された前記第２のデータの順序に従って、前記第２のデータを装置へ配信する配信ステップと、
を備えてなる配信方法。
【請求項７】
請求項６に記載の配信方法において、
前記適正度計算ステップは、前記装置の状況と前記第１のデータの状況についての所定の採点設定を有し、該所定の採点設定に基づいて、前記第１のデータの適性度を算出する配信方法。
【請求項８】
請求項６または請求項７に記載の配信方法において、
前記順序決定ステップは、前記適性度を用いたドント式により前記第２のデータの順序を決定することを特徴とする配信方法。
【請求項９】
第１のデータの利用をユーザに促すための第２のデータを装置へ配信する配信方法をコンピュータに実行させる配信プログラムであって、
装置の状況と前記第１のデータの状況を取得する状況取得ステップと、
前記状況取得ステップにより取得された装置の状況と前記第１のデータの状況に基づいて、装置における前記第１の装置の適性度を計算する適性度計算ステップと、
前記適正度計算ステップにより計算された前記適性度に基づいて、前記第２のデータの順序を決定する順序決定ステップと、
前記順序決定ステップにより決定された前記第２のデータの順序に従って、前記第２のデータを装置へ配信する配信ステップと、
をコンピュータに実行させる配信プログラム。
【請求項１０】
請求項９に記載の配信プログラムにおいて、
前記適正度計算ステップは、前記装置の状況と前記第１のデータの状況についての所定の採点設定を有し、該所定の採点設定に基づいて、前記第１のデータの適性度を算出する配信プログラム。
【発明の詳細な説明】
【技術分野】
【０００１】
本発明は、第１のデータの利用をユーザに促すために、第２のデータを装置に配信する配信装置等に係り、特に、例えば目的コンテンツの利用をユーザに促すための紹介コンテンツをクライアントへ配信する配信装置、配信方法、配信プログラムに関するものである。
【背景技術】
【０００２】
ゲームセンター等の環境では、不特定のユーザが利用可能であるクライアントが複数設置されている。このクライアントは、課金等を行うためのコンテンツをユーザに実行させることを目的としており、このコンテンツを目的コンテンツとする。ユーザが利用していない状態のクライアントは、そのクライアントが実行することができる目的コンテンツの内容を表し、目的コンテンツの実行をユーザに促すための紹介コンテンツを実行している。例えば、目的コンテンツの種類がゲームである場合、紹介コンテンツはそのゲームのデモンストレーションであり、目的コンテンツの種類が映画である場合、紹介コンテンツはその映画の予告編である。ユーザが紹介コンテンツを見ることにより、対応する目的コンテンツを利用すると判断した場合、目的コンテンツが実行される。
【０００３】
また、各クライアントがネットワークを介してサーバに接続されている場合、クライアントからの要求に応じて、サーバは目的コンテンツを配信する。
【０００４】
なお、本発明の関連ある従来技術として、例えば、下記に示す特許文献１が知られている。このコンテンツ配信システムは、ユーザの嗜好に対応するコンテンツ利用条件とコンテンツ情報に基づいてユーザ毎の番組表を生成し、配信するものである。
【特許文献１】特開２００４−４０４８４号公報  （第３−６頁、第１図）
【発明の開示】
【発明が解決しようとする課題】
【０００５】
しかしながら、従来のクライアントにおいて、紹介コンテンツがユーザのニーズに合わないなど、紹介コンテンツが適切でないとしても、そのままの紹介コンテンツが実行されており、クライアントにおける目的コンテンツの稼働率が低下していた。
【０００６】
本発明は上述した問題点を解決するためになされたものであり、例えばクライアント等の装置に適切な紹介コンテンツを配信することができる配信装置、配信方法、配信プログラムを提供することを目的とする。
【課題を解決するための手段】
【０００７】
上述した課題を解決するため、本発明は、第１のデータ（第１のコンテンツ）の利用（実行）をユーザに促すための第２のデータ（第２のコンテンツ）を装置（クライアント）へ配信する配信装置（コンテンツ配信サーバ）であって、前記装置（クライアント）の状況と前記第１のデータ（第１のコンテンツ）の状況を取得する状況取得部と、前記状況取得部により取得された前記装置（クライアント）の状況と前記第１のデータ（コンテンツ）の状況に基づいて、前記装置（クライアント）における前記第１のデータ（コンテンツ）の適性度を計算する適正度計算部（コンテンツ適性度計算部）と、前記適正度計算部（前記コンテンツ適正度計算部）により計算された前記適性度に基づいて、前記第２のデータ（コンテンツ）の順序を決定する順序決定部（コンテンツ順序決定部）と、前記順序決定部（前記コンテンツ順序決定部）により決定された前記第２のデータ（コンテンツ）の順序に従って、前記第２のデータ（コンテンツ）を前記装置（クライアント）へ配信する配信部（コンテンツ配信部）とを備えたものである。
【０００８】
また、本発明に係る配信装置において、前記適正度計算部（コンテンツ適正度計算部）は、前記装置（コンテンツ）の状況と前記第１のデータ（第１のコンテンツ）の状況についての所定の採点設定を有し、該所定の採点設定に基づいて、前記第１のデータ（第１のコンテンツ）の適性度を算出するものである。
【０００９】
また、本発明に係る配信装置において、前記順序決定部は、前記適性度を用いたドント式により前記第２のデータの順序を決定することを特徴とするものである。
【００１０】
また、本発明に係る配信装置において、前記装置（クライアント）の状況は、前記装置の立地条件、天気、日時の情報を含むことを特徴とするものである。
【００１１】
また、本発明に係る配信装置において、前記第１のデータ（第１のコンテンツ）の状況は、前記第１のデータ（第１のコンテンツ）のターゲットユーザ、前記第１のデータ（第１のコンテンツ）の推薦、前記第１のデータ（第１のコンテンツ）の実行状況の情報を含むことを特徴とするものである。
【００１２】
また、本発明は、第１のデータ（第１のコンテンツ）の利用（実行）をユーザに促すための第２のデータ（第２のコンテンツ）を装置（クライアント）へ配信する配信方法（コンテンツ配信方法）であって、装置（クライアント）の状況と前記第１のデータ（第１のコンテンツ）の状況を取得する状況取得ステップと、前記状況取得ステップにより取得された装置（クライアント）の状況と前記第１のデータ（前記第１のコンテンツ）の状況に基づいて、装置（クライアント）における前記第１のデータ（前記第１のコンテンツ）の適性度を計算する適正度計算ステップ（コンテンツ適性度計算ステップ）と、前記適正度計算ステップ（コンテンツ適正度計算ステップ）により計算された前記適性度に基づいて、前記第２のデータ（第２のコンテンツ）の順序を決定する順序決定ステップ（コンテンツ順序決定ステップ）と、前記順序決定ステップ（コンテンツ順序決定ステップ）により決定された前記第２のデータ（第２のコンテンツ）の順序に従って、前記第２のデータ（第２のコンテンツ）を前記装置（クライアント）へ配信する配信ステップ（コンテンツ配信ステップ）とを備えたものである。
【００１３】
また、本発明に係る配信方法（コンテンツ配信方法）において、前記適正度計算ステップ（コンテンツ適正度計算ステップ）は、前記装置（クライアント）の状況と前記第１のデータ（第１のコンテンツ）の状況についての所定の採点設定を有し、該所定の採点設定に基づいて、前記第１のデータ（第１のコンテンツ）の適性度を算出するものである。
【００１４】
また、本発明に係る配信方法（コンテンツ配信方法）において、前記順序決定ステップ（コンテンツ順序決定ステップ）は、前記適性度を用いたドント式により前記第２のデータ（第２のコンテンツ）の順序を決定することを特徴とするものである。
【００１５】
また、本発明に係る配信方法（コンテンツ配信方法）において、前記装置（クライアント）の状況は、前記装置（クライアント）の立地条件、天気、日時の情報を含むことを特徴とするものである。
【００１６】
また、本発明に係る配信方法（コンテンツ配信方法）において、前記第１のデータ（第１のコンテンツ）の状況は、前記第１のデータ（第１のコンテンツ）のターゲットユーザ、前記第１のデータ（第１のコンテンツ）の推薦、前記第１のデータ（第１のコンテンツ）の実行状況の情報を含むことを特徴とするものである。
【００１７】
また、本発明は、第１のデータ（第１のコンテンツ）の利用（実行）をユーザに促すための第２のデータ（第２のコンテンツ）を装置（クライアント）へ配信する配信方法（コンテンツ配信方法）をコンピュータに実行させる配信プログラム（コンテンツ配信プログラム）であって、前記装置（クライアント）の状況と前記第１のデータ（第１のコンテンツ）の状況を取得する状況取得ステップと、前記状況取得ステップにより取得された前記装置（クライアント）の状況と前記第１のデータ（第１のコンテンツ）の状況に基づいて、前記装置（クライアント）における前記第１のデータ（第１のコンテンツ）の適性度を計算する適正度計算ステップ（コンテンツ適性度計算ステップ）と、前記適正度計算ステップ（コンテンツ適正度計算ステップ）により計算された前記適性度に基づいて、前記第２のデータ（第２のコンテンツ）の順序を決定する順序決定ステップ（コンテンツ順序決定ステップ）と、前記順序決定ステップ（コンテンツ順序決定ステップ）により決定された前記第２のデータ（第２のコンテンツ）の順序に従って、前記第２のデータ（第２のコンテンツ）を前記装置（クライアント）へ配信する配信ステップ（コンテンツ配信ステップ）とをコンピュータに実行させるものである。
【００１８】
また、本発明に係る配信プログラム（コンテンツ配信プログラム）において、前記適正度計算ステップ（コンテンツ適正度計算ステップ）は、前記装置（クライアント）の状況と前記第１のデータ（第１のコンテンツ）の状況についての所定の採点設定を有し、該所定の採点設定に基づいて、前記第１のデータ（第１のコンテンツ）の適性度を算出するものである。
【００１９】
また、本発明に係る配信プログラム（コンテンツ配信プログラム）において、前記順序決定ステップ（コンテンツ順序決定ステップ）は、前記適性度を用いたドント式により前記第２のデータ（第２のコンテンツ）の順序を決定することを特徴とするものである。
【００２０】
また、本発明に係る配信プログラム（コンテンツ配信プログラム）において、前記装置（クライアント）の状況は、前記装置（クライアント）の立地条件、天気、日時の情報を含むことを特徴とするものである。
【００２１】
また、本発明に係る配信プログラム（コンテンツ配信プログラム）において、前記第１のデータ（第１のコンテンツ）の状況は、前記第１のデータ（第１のコンテンツ）のターゲットユーザ、前記第１のデータ（第１のコンテンツ）の推薦、前記第１のデータ（第１のコンテンツ）の実行状況の情報を含むことを特徴とするものである。
【発明の効果】
【００２２】
本発明によれば、例えば、効率的な紹介コンテンツの配信によってユーザへのアピールを行うことにより、クライアントにおける目的コンテンツの稼働率を向上させることができる。
【発明を実施するための最良の形態】
【００２３】
以下、本発明の実施の形態について図面を参照しつつ説明する。
【００２４】
まず、本発明に係る配信装置であるデモコンテンツ配信サーバの構成について説明する。図１は、本発明に係るデモコンテンツ配信サーバの構成の一例を示すブロック図である。デモコンテンツ配信サーバ１は、設定管理部１１、クライアント状況取得部（本発明の状況取得部に対応）１２、実行状況取得部（本発明の状況取得部に対応）１３、コンテンツ適性度計算部（本発明の適正度計算部に対応）２１、コンテンツ順序決定部（本発明の順序決定部に対応）２２、コンテンツ配信部（本発明の配信部に対応）２３、コンテンツ記憶部２４を備える。また、コンテンツ配信部２３は、外部のクライアント２に接続されている。また、クライアント状況取得部１２は、外部の天気情報サーバ３に接続されている。
【００２５】
コンテンツ記憶部２４には、予め目的コンテンツ（本発明の第１のデータに対応）と、目的コンテンツの実行を促すための紹介コンテンツ（本発明の第２のデータに対応）とが格納されている。
【００２６】
次に、本発明に係るコンテンツ配信サーバ１の動作について説明する。
【００２７】
まず、コンテンツ配信サーバ１の稼働前の動作について説明する。
【００２８】
コンテンツ配信サーバ１の管理者は、適性度の計算を設定するための適性度計算設定を、予めコンテンツ配信サーバ１へ入力する。ここで、適性度とは、あるクライアント２において、ある目的コンテンツがどれだけ適しているかを表したものであり、様々な項目について採点したポイントの合計で表される。設定管理部１１は、管理者の入力から適性度計算設定を取得し、コンテンツ適性度計算部２１へ渡す。適性度計算設定には、分類設定、採点設定、配信設定、位置設定、コンテンツ設定がある。
【００２９】
図２は、本発明に係る分類設定の一例を示す表である。分類設定の設定項目には、立地条件分類、設置条件分類、天気分類、日時分類、ターゲットユーザ分類がある。立地条件分類は、加点する立地条件の分類であり、駅前、大規模駅、繁華街、郊外を設定している。設置条件分類は、加点する設置条件の分類であり、窓際を設定している。天気分類は、加点する天気の分類であり、晴れ、曇り、雨・雪を設定している。日時分類は、加点する日時の分類であり、休日、深夜を設定している。ターゲットユーザ分類には、コンテンツのターゲットとなるユーザの分類であり、大人、子供、老人を設定している。
【００３０】
図３は、本発明に係る立地条件と設置条件による採点設定の一例を示す表である。クライアント２の立地条件と設置条件が、立地条件分類と設置条件分類のそれぞれについて一致の場合（○）と不一致の場合（×）に加点するポイントを、ターゲットユーザ分類毎に設定している。図４は、本発明に係る天気と日時による採点設定の一例を示す表である。同様にして、クライアント２の天気と日時が、天気分類と日時分類のそれぞれについて一致の場合（○）と不一致の場合（×）に加点するポイントを、ターゲットユーザ分類毎に設定している。ここでは立地条件、設置条件、天気、日時について、一致の場合と不一致の場合の両方において加点の設定をしたが、一致の場合と不一致の場合のいずれか一方において加点の設定をしても良い。
【００３１】
図５は、本発明に係る推薦による採点設定の一例を示す表である。管理者があるコンテンツを推薦コンテンツに指定した場合に加点するポイントを、ターゲットユーザ分類毎に設定している。図６は、本発明に係る実行状況による採点設定の一例を示す表である。クライアント２において紹介コンテンツにより目的コンテンツが実行された場合に加点するポイントを、ターゲットユーザ分類毎に設定している。
【００３２】
図７は、本発明に係る配信設定の一例を示す表である。配信設定の設定項目には、グループ識別子、実行状況評価期間、コンテンツ順序決定時間間隔、紹介コンテンツ実行時間、複数回実行許可フラグ、実行状況加点フラグ、ユーザプロファイルフラグがある。
【００３３】
グループ識別子は、クライアント２が所属するクライアントグループを表す識別子を表し、グループ化しないクライアント２については識別子をなしとすることにより、１つのクライアント２を１つのクライアントグループとする。実行状況評価期間は、過去の目的コンテンツの実行状況を評価する期間を表し、この期間を適性度の計算に反映させる。コンテンツ順序決定時間間隔は、コンテンツ順序の決定を行う時間間隔を表す。紹介コンテンツ実行時間は、１つの紹介コンテンツを実行する時間を表す。複数回実行許可フラグは、同じ紹介コンテンツを複数回見せるか否かを表し、Ｏｎの場合は目的コンテンツが実行された後に実行済みフラグをＯｎにすることにより、以後、紹介コンテンツを実行しない。実行加点フラグは、紹介コンテンツの実行中に対応する目的コンテンツが実行された場合に加点するか否かを表し、Ｏｎの場合は実行状況に応じてポイントが加点される。ユーザプロファイルフラグは、ユーザプロファイルを入力させるか否かを表し、Ｏｎの場合はクライアント２においてユーザプロファイルの入力による認証を必要とする。
【００３４】
この例では、グループ識別子をなし、実行回数評価期間を１週間、適性度計算時間間隔を６０分、紹介コンテンツ実行時間を１０分、複数回実行許可フラグをＯｎ、実行加点フラグをＯｎ、ユーザプロファイルフラグをＯｎと設定している。
【００３５】
図８は、本発明に係る位置設定の一例を示す表である。位置設定の設定項目には上述した立地条件分類の各分類と上述した設置条件分類の各分類があり、全分類について一致するか否かを設定する。この例では、駅前と大規模駅の分類に一致すると設定している。
【００３６】
図９は、本発明に係るコンテンツ設定の一例を示す表である。コンテンツ設定の設定項目にはターゲットユーザと推薦フラグがあり、コンテンツ毎に設定する。ターゲットユーザは、上述したターゲットユーザ分類から選択される。推薦フラグは、推薦する紹介コンテンツを優先的に実行するための加点を行うか否かを表す。この例では、コンテンツＡ，Ｂ，Ｃ，Ｄ，Ｅに対して、ターゲットユーザはそれぞれ、大人、大人、子供、子供、老人であり、推薦フラグはそれぞれ、Ｏｆｆ，Ｏｎ，Ｏｆｆ，Ｏｆｆ，Ｏｆｆである。
【００３７】
管理者は、適性度計算設定の各項目の中から必要な項目だけを設定する。また、適性度計算設定の各項目は排他の条件である必要はない。
【００３８】
次に、コンテンツ配信サーバ１の稼働中の動作について説明する。
【００３９】
図１０は、本発明に係るデモコンテンツ配信サーバの稼働中の動作の一例を示すフローチャートである。まず、クライアント状況取得部１２が取得したクライアント状況は、コンテンツ適性度計算部２１へ出力される（Ｓ１１）。次に、実行状況取得部１３が取得した実行状況は、コンテンツ適性度計算部２１へ出力される（Ｓ１２）。次に、コンテンツ適性度計算部２１は、適性度計算テーブルとクライアント状況を用いて、各クライアント２における各コンテンツの適性度を計算し、コンテンツ順序決定部２２へ渡す（Ｓ２１）。次に、コンテンツ順序決定部２２は、コンテンツ順序を決定し、コンテンツ配信部２３へ渡す（Ｓ２２）。次に、コンテンツ配信部２３は、予めコンテンツ記憶部２４に格納された紹介コンテンツを、コンテンツ順序に従って配信する（Ｓ２３）。次に、コンテンツ配信部２３は、このフローを終了するか否かの判断を行う（Ｓ３１）。終了しない場合（Ｓ３１，Ｎ）、処理Ｓ１１へ戻る。終了する場合（Ｓ３１，Ｙ）、このフローを終了する。
【００４０】
クライアント２は、コンテンツ配信サーバ１から配信された紹介コンテンツを実行する。さらに、クライアント２において紹介コンテンツの実行中に、対応する目的コンテンツをユーザが要求すれば、クライアント２はコンテンツ配信サーバ１に目的コンテンツの要求を行い、コンテンツ配信サーバ１から配信された目的コンテンツを実行する。
【００４１】
次に、クライアント状況の取得の処理について説明する。クライアント状況取得部１２は、クライアント状況として天気と日時を取得する。クライアント状況取得部１２は、天気の情報を外部の天気情報サーバ３から取得し、日時の情報を内部または外部の時計機能から取得する。また、クライアント状況取得部１２は天気分類と日時分類に従って、取得した天気と日時の判定を行い、判定結果をコンテンツ適性度計算部２１へ出力する。図１１は、本発明に係るクライアント状況の一例を示す表である。この例では、天気は曇り、日時は非休日の深夜と判定されている。
【００４２】
次に、実行状況の取得の処理について説明する。実行状況は、当日の目的コンテンツの実行回数と過去の実行状況評価期間の目的コンテンツの実行回数であり、実行状況取得部１３は実行状況フラグがＯｎの場合にコンテンツ配信部２３から目的コンテンツの実行を検出し、当日または過去の実行状況評価期間にわたって実行回数をカウントする。図１２は、本発明に係る実行状況の一例を示す表である。この例では、まず、当日の実行回数に応じたポイントが与えられている。また、過去の実行状況評価期間は上述したように１週間であり、全日、非休日、深夜に分類され、過去１週間の各分類における実行回数をカウントし、そのカウントに応じたポイントが与えられている。
【００４３】
次に、適性度の計算の処理について説明する。まず、コンテンツ適性度計算部２１は、クライアントグループ毎に適性度計算テーブルを作成する。図１３は、本発明に係る適性度計算テーブルの一例を示す表である。コンテンツ適性度計算部２１は、立地条件、設置条件、天気、日時の採点設定とコンテンツ設定に従って、コンテンツ毎のポイントを適性度計算テーブルに入力する。次に、コンテンツ適性度計算部２１は、推薦による採点設定とコンテンツ設定に従って、コンテンツ毎のポイントを適性度計算テーブルに入力する。次に、コンテンツ適性度計算部２１は、実行状況による採点設定に従って、コンテンツ毎のポイントを適性度計算テーブルに入力する。最後にコンテンツ毎にポイントを合計し、各コンテンツの適性度とする。各クライアントグループの適性度計算テーブルにより算出された、各コンテンツの適性度は、コンテンツ順序決定部２２へ出力する。
【００４４】
次に、コンテンツ順序の決定の処理について説明する。コンテンツ順序決定部２２は、クライアントグループ毎に、コンテンツの適性度をもとにして紹介コンテンツの実行順序であるコンテンツ順序を決定する。コンテンツ順序の決定方法として、比例代表に用いられるドント式を用いる。図１４は、本発明に係るコンテンツ順序決定テーブルの一例を示す表である。この例では、図１３で得られたコンテンツ毎の適性度、適性度÷２、適性度÷３、適性度÷４、適性度÷５、適性度÷６、適性度÷７、適性度÷８、適性度÷９、適性度÷１０が入力される。コンテンツ順序決定テーブルにおける全ての数値に順位を付けることにより、対応するコンテンツの順序をコンテンツ順序として決定する。この例において、コンテンツ順序決定テーブルの数値に順位を付けて並べると、６２０、３８５、３１０、２０７、１９３、…であり、コンテンツ順序は、Ｃ、Ａ、Ｃ、Ｃ、Ａ、Ｃ、Ａ、Ｃ、Ｃ、Ａ、Ｃ、Ｃ、…と決定される。
【００４５】
ここでは、全てのコンテンツを用いてコンテンツ順序を決定したが、一部のコンテンツだけを用いてコンテンツ順序を決定しても良い。例えば、子供向けコンテンツだけのコンテンツ順序は、Ｃ、Ｃ、Ｃ、Ｃ、Ｃ、Ｃ、Ｃ、Ｃ、Ｄ、Ｄ、Ｃ、Ｄ、…と決定される。
【００４６】
次に、コンテンツの配信の処理について説明する。図１５は、本発明に係るコンテンツの配信の動作の一例を示すフローチャートである。まず、初期化として、各コンテンツの実行済みフラグをＯｆｆとする（Ｓ４１）。次に、コンテンツ配信部２３は、指定したクライアントグループのコンテンツ順序に従って紹介コンテンツを指定する（Ｓ４２）。次に、コンテンツ配信部２３は、指定された紹介コンテンツが配信可能か否かの判断を行う（Ｓ４３）。ここで、ユーザプロファイルフラグがＯｎの場合、コンテンツ配信部２３は、ユーザプロファイルのチェックを行い、年齢等の認証ができなかった場合には配信不可能とする。また、複数回実行許可フラグがＯｆｆ、かつ実行済みフラグがＯｎの場合、配信不可能とする。
【００４７】
配信不可能であれば（Ｓ４３，Ｎ）、処理Ｓ４２に戻り、コンテンツ配信部２３は、コンテンツ順序における次の紹介コンテンツを指定する。一方、配信可能であれば（Ｓ４３，Ｙ）、コンテンツ配信部２３は、予めコンテンツ記憶部２４に格納された紹介コンテンツを、指定されたクライアントグループへ配信する（Ｓ４４）。
【００４８】
次に、コンテンツ配信部２３は、コンテンツ順序決定時間間隔が経過したか否かの判断を行う（Ｓ５１）。コンテンツ順序決定時間間隔が経過した場合（Ｓ５１，Ｙ）、このフローを終了する。一方、コンテンツ順序決定時間間隔が経過していない場合（Ｓ５１，Ｎ）、コンテンツ配信部２３は、紹介コンテンツ実行時間が経過したか否かの判断を行う（Ｓ５２）。
【００４９】
紹介コンテンツ実行時間が経過した場合（Ｓ５２，Ｙ）、コンテンツ配信部２３は、処理Ｓ４２へ戻り、コンテンツ順序における次の紹介コンテンツを指定する。一方、紹介コンテンツ実行時間が経過した場合（Ｓ５２，Ｎ）、コンテンツ配信部２３は、クライアント２から目的コンテンツの要求があったか否かの判断を行う（Ｓ６１）。
【００５０】
目的コンテンツの要求がない場合（Ｓ６１，Ｎ）、処理Ｓ５１へ戻る。一方、目的コンテンツの要求があった場合（Ｓ６１，Ｙ）、コンテンツ配信部２３は、予めコンテンツ記憶部２４に格納された目的コンテンツの配信を行い（Ｓ６２）、処理Ｓ４２へ戻り、コンテンツ順序における次の紹介コンテンツを指定する。ここで、目的コンテンツの配信が行われると、そのコンテンツの実行済みフラグをＯｎとする。また、実行状況取得部１３は、実行加点フラグがＯｎであれば、実行された目的コンテンツの実行回数をカウントする。
【００５１】
コンテンツ配信サーバ１は、このコンテンツの配信の動作を、全てのクライアントグループについて行う。
【００５２】
上述した動作により、各クライアントグループにおいて適切な紹介コンテンツを実行させ、対応する目的コンテンツの実行をユーザに促すことができる。
【００５３】
なお、本実施の形態において、まず、紹介コンテンツがコンテンツ配信サーバ１からクライアント２へ配信され、クライアント２において紹介コンテンツの実行中にユーザから目的コンテンツの要求があれば、コンテンツ配信サーバ１からクライアント２へ目的コンテンツが配信され、クライアント２において実行されるとした。ここで、紹介コンテンツの代わりに、紹介コンテンツと目的コンテンツを含むコンテンツが配信され、クライアント２においてそのコンテンツが実行されると、まず紹介コンテンツが実行され、紹介コンテンツの実行中にユーザから目的コンテンツの要求があれば、そのままクライアント２において目的コンテンツが実行されるようにしても良い。
【００５４】
また、本実施の形態において、コンテンツ記憶部２４はコンテンツ配信サーバ１の内部にあるとしたが、コンテンツ記憶部２４が外部のサーバに備えられていても良い。
【００５５】
更に、コンテンツ配信サーバを構成するコンピュータに上述した各ステップを実行させるプログラムを、コンテンツ配信プログラムとして提供することができる。上述したプログラムは、コンピュータにより読取り可能な記録媒体に記憶させることによって、コンテンツ配信サーバを構成するコンピュータに実行させることが可能となる。ここで、上記コンピュータにより読取り可能な記録媒体としては、ＣＤ−ＲＯＭやフレキシブルディスク、ＤＶＤディスク、光磁気ディスク、ＩＣカード等の可搬型記憶媒体や、コンピュータプログラムを保持するデータベース、或いは、他のコンピュータ並びにそのデータベースや、更に回線上の伝送媒体をも含むものである。
【００５６】
なお、状況取得部とは、実施の形態における設定管理部とクライアント状況取得部とコンテンツ実行状況取得部に対応する。また、第１のデータ（コンテンツ）とは、目的コンテンツに対応する。また、第２のデータ（コンテンツ）とは、紹介コンテンツに対応する。
【００５７】
（付記１）  第１のデータの実行をユーザに促すための第２のデータを装置へ配信する配信装置であって、
前記装置の状況と前記第１のデータの状況を取得する状況取得部と、
前記状況取得部により取得された前記装置の状況と前記第１のデータの状況に基づいて、前記装置における前記第１のデータの適性度を計算する適性度計算部と、
前記適正度計算部により計算された前記適性度に基づいて、前記第２のデータの順序を決定する順序決定部と、
前記順序決定部により決定された前記第２のデータの順序に従って、前記第２のデータを装置へ配信する配信部と、
を備えてなる配信装置。
（付記２）  付記１に記載の配信装置において、
前記適正度計算部は、前記装置の状況と前記第１のデータの状況についての所定の採点設定を有し、該所定の採点設定に基づいて、前記第１のデータの適性度を算出する配信装置。
（付記３）  付記１または付記２に記載の配信装置において、
前記順序決定部は、前記適性度を用いたドント式により前記第２のデータの順序を決定することを特徴とする配信装置。
（付記４）  付記１乃至付記３のいずれかに記載の配信装置において、
前記装置の状況は、前記装置の立地条件、天気、日時のいずれかの情報を含むことを特徴とする配信装置。
（付記５）  付記１乃至付記４のいずれかに記載の配信装置において、
前記第１のデータの状況は、前記第１のデータのターゲットユーザ、前記第１のデータの推薦、前記第１のデータの実行状況のいずれかの情報を含むことを特徴とする配信装置。
（付記６）  第１のデータの実行をユーザに促すための第２のデータを装置へ配信する配信方法であって、
前記装置の状況と前記第１のデータの状況を取得する状況取得ステップと、
前記状況取得ステップにより取得された装置の状況と前記第１のデータの状況に基づいて、装置における前記第１のデータの適性度を計算する適性度計算ステップと、
前記適正度計算ステップにより計算された前記適性度に基づいて、前記第２のデータの順序を決定する順序決定ステップと、
前記順序決定ステップにより決定された前記第２のデータの順序に従って、前記第２のデータを装置へ配信する配信ステップと、
を備えてなる配信方法。
（付記７）  付記６に記載の配信方法において、
前記適正度計算ステップは、前記装置の状況と前記第１のデータの状況についての所定の採点設定を有し、該所定の採点設定に基づいて、前記第１のデータの適性度を算出する配信方法。
（付記８）  付記６または付記７に記載の配信方法において、
前記順序決定ステップは、前記適性度を用いたドント式により前記第２のデータの順序を決定することを特徴とする配信方法。
（付記９）  付記６乃至付記８のいずれかに記載の配信方法において、
前記装置の状況は、前記装置の立地条件、天気、日時のいずれかの情報を含むことを特徴とする配信方法。
（付記１０）  付記６乃至付記９のいずれかに記載の配信方法において、
前記第１のデータの状況は、前記第１のデータのターゲットユーザ、前記第１のデータの推薦、前記第１のデータの実行状況のいずれかの情報を含むことを特徴とする配信方法。
（付記１１）  第１のデータの実行をユーザに促すための第２のデータを装置へ配信する配信方法をコンピュータに実行させる配信プログラムであって、
装置の状況と前記第１のデータの状況を取得する状況取得ステップと、
前記状況取得ステップにより取得された装置の状況と前記第１のデータの状況に基づいて、装置における前記第１のデータの適性度を計算する適性度計算ステップと、
前記適正度計算ステップにより計算された前記適性度に基づいて、前記第２のデータの順序を決定する順序決定ステップと、
前記順序決定ステップにより決定された前記第２のデータの順序に従って、前記第２のデータを装置へ配信する配信ステップと、
をコンピュータに実行させる配信プログラム。
（付記１２）  付記１１に記載の配信プログラムにおいて、
前記適正度計算ステップは、前記装置の状況と前記第１のデータの状況についての所定の採点設定を有し、該所定の採点設定に基づいて、前記第１のデータの適性度を算出する配信プログラム。
（付記１３）  付記１１または付記１２に記載の配信プログラムにおいて、
前記順序決定ステップは、前記適性度を用いたドント式により前記第２のデータの順序を決定することを特徴とする配信プログラム。
（付記１４）  付記１１乃至付記１３のいずれかに記載の配信プログラムにおいて、
前記装置の状況は、前記装置の立地条件、天気、日時のいずれかの情報を含むことを特徴とする配信プログラム。
（付記１５）  付記１１乃至付記１４のいずれかに記載の配信プログラムにおいて、
前記第１のデータの状況は、前記第１のデータのターゲットユーザ、前記第１のデータの推薦、前記第１のデータの実行状況のいずれかの情報を含むことを特徴とする配信プログラム。
【図面の簡単な説明】
【００５８】
【図１】本発明に係るデモコンテンツ配信サーバの構成の一例を示すブロック図である。
【図２】本発明に係る分類設定の一例を示す表である。
【図３】本発明に係る立地条件と設置条件による採点設定の一例を示す表である。
【図４】本発明に係る天気と日時による採点設定の一例を示す表である。
【図５】本発明に係る推薦による採点設定の一例を示す表である。
【図６】本発明に係る実行状況による採点設定の一例を示す表である。
【図７】本発明に係る配信設定の一例を示す表である。
【図８】本発明に係る位置設定の一例を示す表である。
【図９】本発明に係るコンテンツ設定の一例を示す表である。
【図１０】本発明に係るデモコンテンツ配信サーバの稼働中の動作の一例を示すフローチャートである。
【図１１】本発明に係るクライアント状況の一例を示す表である。
【図１２】本発明に係る実行状況の一例を示す表である。
【図１３】本発明に係る適性度計算テーブルの一例を示す表である。
【図１４】本発明に係るコンテンツ順序決定テーブルの一例を示す表である。
【図１５】本発明に係るコンテンツの配信の動作の一例を示すフローチャートである。
【符号の説明】
【００５９】
１  コンテンツ配信サーバ、２  クライアント、３  天気情報サーバ、１１  設定管理部、１２  クライアント状況取得部、１３  実行状況取得部、２１  コンテンツ適性度計算部、２２  コンテンツ順序決定部、２３  コンテンツ配信部、２４  コンテンツ記憶部。
【図１】
2006215678.tif 000003
【図２】
2006215678.tif 000004
【図３】
2006215678.tif 000005
【図４】
2006215678.tif 000006
【図５】
2006215678.tif 000007
【図６】
2006215678.tif 000008
【図７】
2006215678.tif 000009
【図８】
2006215678.tif 000010
【図９】
2006215678.tif 000011
【図１０】
2006215678.tif 000012
【図１１】
2006215678.tif 000013
【図１２】
2006215678.tif 000014
【図１３】
2006215678.tif 000015
【図１４】
2006215678.tif 000016
【図１５】
2006215678.tif 000017